(57)【特許請求の範囲】
【請求項１】
その断面形状が略楕円形に形成され、雨水を排水するための排水筒と、
この排水筒を内部に収容する円筒状の筒体と、
前記筒体の外周部に設けられたスロットアンテナと
を備え、
前記排水筒は、前記筒体の水平断面において、排水筒の長軸が前記筒体の直径線上に設けられ、且つ前記スロットアンテナのスロットが位置する側とは反対側に偏心した位置に設けられている
ことを特徴とする雨樋。
【請求項２】
前記排水筒の上端部及び下端部のいずれか一方または両方に設けられ、建物外壁に沿って配設された竪樋に連通接続するための接続部をさらに備えている
ことを特徴とする請求項１記載の雨樋。
【発明の詳細な説明】
【技術分野】
【０００１】
本発明は、建物外壁に沿って取り付けられる雨樋に関する。
【背景技術】
【０００２】
従来、建物外壁に沿って取り付けられる雨樋が知られている（例えば特許文献１参照）。
【０００３】
この特許文献１記載の雨樋は、円筒状の雨樋であり、円形をした断面形状に形成されている。この雨樋は、軒先に配設された軒樋に集水器を介して連通接続されている。
【先行技術文献】
【特許文献】
【０００４】
【特許文献１】特開２００９−１７４１４６号公報
【発明の概要】
【発明が解決しようとする課題】
【０００５】
ところでこの特許文献１記載の雨樋は、円形をした断面形状に形成されているため、雨水の流路の対向間の距離が周方向の略全長に亘ってすべて同じとなっている。このため仮に、雨樋の内径以上の長さの落ち葉やゴミ等（以下、落ち葉等という）が、雨樋内に入り込んだ場合、雨樋内の対向間の距離は周方向に同じであるため、落ち葉等がどの向きになっても引っかかってしまう可能性がある。
【０００６】
本発明は、上記事情に鑑みてなされたものであり、その目的とするところは、排水流路の内面に落ち葉等が引っ掛りにくい雨樋を提供することにある。
【課題を解決するための手段】
【０００７】
本発明の雨樋は、その断面形状が略楕円形に形成され、雨水を排水するための排水筒と、この排水筒を内部に収容する円筒状の筒体と、前記筒体の外周部に設けられたスロットアンテナとを備え、前記排水筒は、前記筒体の水平断面において、排水筒の長軸が前記筒体の直径線上に設けられ、且つ前記スロットアンテナのスロットが位置する側とは反対側に偏心した位置に設けられていることを特徴とする。
【００１０】
またこの雨樋において、前記排水筒の上端部及び下端部のいずれか一方または両方に設けられて、建物外壁に沿って配設された竪樋に連通接続するための接続部をさらに備えていることが好ましい。
【発明の効果】
【００１１】
本発明の雨樋によれば、排水流路の内面に落ち葉等が引っ掛りにくいようにできる。
【図面の簡単な説明】
【００１２】
【図１】実施形態１の雨樋を取り付けた状態の側面図である。
【図２】雨樋の水平断面図であり、（ａ）は実施形態１の雨樋、（ｂ）は変形例の雨樋、（ｃ）は参考例の雨樋である。
【図３】実施形態２の雨樋の一部破断した斜視図である。
【図４】実施形態２の雨樋の分解斜視図である。
【図５】実施形態２の雨樋のアンテナの斜視図である。
【図６】実施形態２の雨樋の給電部周辺の斜視図である。
【図７】実施形態２の雨樋のアンテナの斜視図である。
【図８】実施形態２の雨樋の水平断面の斜視図であり、外筒体を透過している。
【図９】実施形態２の雨樋の下接続体の分解斜視図である。
【図１０】実施形態２の雨樋の上接続体の分解斜視図である。
【図１１】実施形態２の雨樋の集水部を示す斜視図であり、内筒体を透過した図である。
【図１２】図１１において回転部を取り付けた状態の斜視図である。
【図１３】実施形態２の雨樋の上接続体近傍の断面図である。
【図１４】実施形態２の雨樋の取付構造を示す概略図である。
【図１５】実施形態３の雨樋の分解斜視図である。
【発明を実施するための形態】
【００１３】
以下、本発明の実施形態について添付図面に基づいて説明する。
【００１４】
実施形態１の雨樋は、図１に示されるように、建物外壁９０に沿って配設される。本実施形態の雨樋は、雨水を軒樋９４から排水溝１２２に向けて排水するための排水筒１２０により構成されている。
【００１５】
排水筒１２０は、図２（ａ）に示されるように、断面において外周部１２３が、コーナー部が曲面となった楕円形状に形成されている。本実施形態の排水筒１２０は、断面において、長軸方向の辺が緩やかに湾曲した楕円形状となっている。なお排水筒１２０としては、図２（ｂ）に示されるように、断面において、長軸方向の辺が直線状（いわゆる長円形状）に形成された断面略楕円形状であってもよい。
【００１６】
排水筒１２０は、上端から下端に亘って一様な断面形状に形成されている。排水筒１２０は、上下方向の全長に亘って一体成形されたものであってもよいし、一定長さのものが管継手を介して連通接続されたものであってもよい。
【００１７】
排水筒１２０は、図１に示されるように、建物外壁９０に沿って取り付けられる。本実施形態の排水筒１２０は、図２に示されるように、断面における長軸方向が、建物外壁９０に沿うようにして配置される。言い換えると排水筒１２０は、長軸方向の面が前後に位置するようにして配置される。このとき排水筒１２０は、短軸方向が、建物外壁９０に直角な方向を向くよう配置される。
【００１８】
排水筒１２０は、この状態で、樋控え具９９を介して建物外壁９０に固定される。樋控え具９９は、排水筒１２０の長手方向（上下方向）に沿って、複数箇所に所定の間隔ごとに配置される。
【００１９】
排水筒１２０は、図１に示されるように、その上端が、呼び樋９７に接続されている。呼び樋９７は、建物軒先に配設された軒樋９４に、集水器９５を介して連通接続されている。本実施形態の呼び樋９７は、集水器９５に第１のエルボ９６を介して接続され、排水筒１２０の上端に第２のエルボ９８を介して接続されている。
【００２０】
このように本実施形態の雨樋は、コーナー部が曲面の略楕円形をした断面形状に形成されているため、断面において長軸方向に長くなっており、仮に、落ち葉やごみ等（以下、流下物１２１という）が流下しても引っ掛り難くできる。特に、集水器９５を介して流下する雨水は断面略楕円形状の雨樋内を螺旋状に流下するため、雨水と共に流下する流下物１２１は、旋回しながら落下する。この流下物１２１は、旋回するに従って、その長手方向が長軸方向に沿うような向きになる。これにより流下物１２１は、雨樋内に引っ掛かりにくくなり、下端まで落下する。
【００２１】
また本実施形態の雨樋は、断面においてコーナー部が曲面の略楕円形状となっている。このため、排水筒１２０の長軸方向の内寸よりも長い流下物１２１が入りこんでも、流下物１２１は、排水筒１２０の外周部１２３に沿うようにして変形し、折れ曲がりにくいため、排水筒１２０内を通過しやすい（図２（ａ）参照）。
【００２２】
一方、断面長矩形状の雨樋は、断面において長手方向間の寸法が長いため、長さのある流下物１２１が入り込んでも、流下物１２１が引っ掛りにくい場合もある。ところが、図２（ｃ）に示されるように、コーナー部がＬ字状の角部になっているため長手方向の内寸よりも長い流下物１２１が入り込んだ場合、この流下物１２１は排水筒１２４に沿って水圧等により変形すると、コーナー部で折れ曲がってしまいやすい。この場合、対向する短辺同士の間に流下物１２１が引っ掛りやすくなる。
【００２３】
次に実施形態２について説明する。
【００２４】
実施形態２の雨樋は、図１４に示されるように、建物外壁９０に沿って配設された竪樋１００の上下方向の一部が取り除かれ、その取り除かれた部分に取り付けられる。本実施形態２の雨樋は、排水性能を有する電波受信用のアンテナであるアンテナ付き竪樋１により構成されている。
【００２５】
なお以下必要に応じて、竪樋１００の一部を切除した後の上流側に位置する筒状の樋を「上流側の竪樋９１」とし、竪樋１００の一部を切除した後の下流側に位置する筒状の樋を「下流側の竪樋９２」として区別する。
【００２６】
アンテナ付き竪樋１は、電気機器などに接続されて、電波の受信用のアンテナを構成する。具体的にアンテナ付き竪樋１は、例えば、ケーブル９３を介してテレビに接続されることで、テレビ用のアンテナとして用いられる。本実施形態のアンテナ付き竪樋１は、図３に示されるように、アンテナ２を有し且つ内部に排水筒１２を有する樋体１０と、樋体１０の外側を覆う外筒体３と、建物外壁９０に沿って配設された竪樋１００に接続するための接続部４とを備えている。
【００２７】
接続部４は、樋体１０の上端部及び下端部に設けられている。なお、アンテナ付き竪樋１が排水溝のすぐ上方に取り付けられて下流側の竪樋９２に接続される必要がない場合には、接続部４は、上端部側にのみ設けられていればよい。またアンテナ付き竪樋１が、集水器９５等に取り付けられて上流側の竪樋９１に接続されない場合には、接続部４は、下端部側にのみ設けられていればよい。
【００２８】
以下必要に応じて、樋体１０の上端部に設けられた接続部４を上接続体４０とし、樋体１０の下端部に設けられた接続部４を下接続体５０として区別する。
【００２９】
樋体１０は、図４に示されるように、円筒状の筒体１１０からなる内筒体１１と、この内筒体１１の外周部に沿って設けられたアンテナ２と、内筒体１１の内部に収容された排水筒１２とを備えている。樋体１０は、上流側の竪樋９１と下流側の竪樋９２との間に接続され、その内部の排水筒１２が、上流側の竪樋９１と下流側の竪樋９２とに連通して排水路を形成する。
【００３０】
内筒体１１は所定長さに形成された断面円形の筒体１１０（言い換えると丸樋）により構成されている。本実施形態の内筒体１１は、非導電性の合成樹脂により構成されている。内筒体１１は、図４に示されるように、上端の開口縁に側面視Ｕ字状の上位置決め溝１３が設けられている。また内筒体１１は、下端の開口縁に側面視逆Ｕ字状の下位置決め溝１４が設けられている。
【００３１】
上位置決め溝１３は、上接続体４０の集水部１５に設けられた上位置決め凹所１５２及びアンテナ２に設けられた上嵌入溝２５２と同位置に配置される。上位置決め溝１３は、上位置決め凹所１５２及び上嵌入溝２５２と同位置に配置された状態で、取付部材７の上端から突設された位置決め突起（図示せず）が挿入される。これにより、アンテナ２と内筒体１１と集水部１５とは、周方向に相互に位置決めされて、一体化される。
【００３２】
また下位置決め溝１４は、下接続体５０の下位置決め凹所５７及びアンテナ２の下嵌入溝２５１と同位置に配置される。下位置決め溝１４は、下位置決め凹所５７及び下嵌入溝２５１と同位置に配置された状態で、取付部材７の下端から突設された位置決め突起（図示せず）が挿入される。これにより、アンテナ２と内筒体１１と集水部１５とは、周方向に相互に位置決めされて、一体化される。
【００３３】
アンテナ２は、内筒体１１の外周部に設けられている。アンテナ２は、内筒体１１の外周部に積層され、又は当該外周部の肉厚内に埋め込まれる。本実施形態のアンテナ２は、図３に示されるように、内筒体１１の外周部に沿うよう外側から重ねられて、取付部材７により固定される。アンテナ２は、導電性を有する金属板材（金属箔も含まれる）により構成されている。アンテナ２は、図５に示されるように、縦長矩形状の金属板材を短軸方向がＣ字状となるよう長辺方向に一様に湾曲させることで形成される。
【００３４】
アンテナ２は、上下方向に複数のスロット２１が形成されたスロットアンテナ２０により構成されている。すなわち本実施形態のアンテナ２は指向性を有している。アンテナ２は、このスロット２１が上下方向に複数並設されており（本実施形態では２箇所）、隣接するスロット２１同士がスリット状の細溝２２で接続されている。アンテナ２は、各スロット２１が周方向の一部に位置している。各スロット２１は、金属板材の厚み方向に貫通する開口により構成されており、一対の三角形の頂点同士を互いに突き合わせたようなボウタイ状に形成されている。上方側のスロット２１は、上下方向の略中央部分に給電部２３を有している。本実施形態の給電部２３は、周方向に対向する三角状片２４の頂点部分により構成されている。
【００３５】
給電部２３には、図６に示されるように、同軸ケーブル７５が電気的に接続される。同軸ケーブル７５は、中央の電線が一方の三角状片２４に接続され且つ外側の網線が他方の三角状片２４に接続される。同軸ケーブル７５は、アンテナ２により受信した電波を、室内側のテレビ等に出力する。同軸ケーブル７５は、第一端が給電部２３に接続され、第二端が、上接続体４０に設けられた接続具４２２に接続される（図４，１２等参照）。
【００３６】
本実施形態のアンテナ２は、図５に示されるように、第一の周波数帯（例えば４７３〜６００ＭＨｚ）の電波を受信する第一の受信部２６と、第二の周波数帯（例えば６００〜７２０ＭＨｚ）の電波を受信する第二の受信部２７とを有している。
【００３７】
第一の受信部２６は、スロット２１及び当該スロット２１の開口周縁部により構成される。第二の受信部２７は、このスロット２１に上下方向に隣接する周方向に連続した金属板材により構成される。
【００３８】
第一の受信部２６を構成するスロット２１の上下方向の長さは、前記第一の周波数帯内の電波の電気的な半波長の長さに応じて決定される。また、第二の受信部２７の周方向の長さは、前記第二の周波数帯内の電波の電気的な半波長の長さに応じて決定される。
【００３９】
またアンテナ２は、図７に示されるように、周方向の両端間に、上下方向の全長に亘って隙間２８が形成される。この隙間２８は、スロット２１に対向する位置に設けられ、すなわちアンテナ２の円弧中心を挟んで、スロット２１とは対極の位置となるように形成される。
【００４０】
またアンテナ２は、スロット２１の背部に抜き部２９が形成されている。抜き部２９は、金属板材が存在しない部分であって、正面から見てスロット２１と重なる位置に設けられている。抜き部２９は、上下方向の長さがスロット２１の上下方向の長さよりも長く、且つ周方向の長さがスロット２１の周方向の長さよりも長く形成されている。
【００４１】
このアンテナ２は、図４に示されるように、金属板材に非導電性の保護シート２５が積層されている。このため本実施形態のアンテナ２は、この保護シート２５により錆の発生が抑制される。アンテナ２は、保護シート２５の下端部に、下接続体５０の下位置決め凹所５７と重なる位置に配置される下嵌入溝２５１を有している。この下嵌入溝２５１は、スロット２１に対応する位置に設けられており、具体的には、略同位相の位置に設けられている。またアンテナ２は、保護シート２５の上端部に、上接続体４０の集水部４１の上位置決め凹所４１２と同位置に配置される上嵌入溝２５２を有している。
【００４２】
なお、アンテナ２としては、保護シート２５が積層されない金属板材のみにより構成されたものであってもよい。
【００４３】
このような構成のアンテナ２は、図３に示されるように、湾曲して内向する裏面が、内筒体１１の側壁の外面に当接した状態で取り付けられる。言い換えると、アンテナ２は、排水路の外側に設けられている。アンテナ２は、内筒体１１の側壁に巻き付けられた状態で、その外側から取付部材７により押さえられて固定される。
【００４４】
取付部材７は、図４に示されるように、平面視円環状に形成されている。取付部材７は、第１の部材７１と、第２の部材７２とに分割され、これらが着脱自在に連結される。取付部材７は、図６に示されるように、給電部２３において同軸ケーブル７５の端部を保持・固定する給電固定部７３と、同軸ケーブル７５の中間部分を保持するケーブル保持部７４とを備えている。ケーブル保持部７４は、スロット２１とは周方向にずれた位置に設けられている。これによりケーブル保持部７４は、スロット２１に同軸ケーブル７５が重なるのを防ぐ。
【００４５】
排水筒１２は、内筒体１１の内部に配置されて、樋体１０内の排水路を形成する。排水筒１２は、図４に示されるように、コーナー部が曲面の略楕円形をした断面形状に形成されている。排水筒１２は、非導電性の合成樹脂により構成されている。排水筒１２は、上端が、上接続体４０を介して上流側の竪樋９１に連通接続され、下端が、下接続体５０を介して下流側の竪樋９２に連通接続される。
【００４６】
本実施形態の排水筒１２は、断面において、長軸方向の辺が直線状に形成されて断面略楕円形状に形成されているが、実施形態１の排水筒１２０と同様に断面楕円形状であってもよい。
【００４７】
排水筒１２は、図８に示されるように、排水筒１２は、その長軸方向が内筒体１１の断面中心線に沿うよう配置され、且つ内筒体１１内においてスロット２１とは反対側に偏心した位置に設けられている。言い換えると、排水筒１２は、内筒体１１のスロット２１側の内側面との間に一定以上の間隙を介して固定されており、スロット２１や給電部２３とは離れた位置に配置されている。
【００４８】
外筒体３は、図４に示されるように、所定長さで且つ断面円形状に形成されている。外筒体３は、その内径が、樋体１０よりも大きくなるよう形成されている。外筒体３は、その中心軸が、樋体１０の中心軸と同軸上に位置するよう配置される。言い換えると外筒体３は、樋体１０の外側に同芯状に配置される。これにより外筒体３は、樋体１０を外側から覆うよう設けられている。外筒体３は、非導電性の合成樹脂により構成されている。
【００４９】
本実施形態のアンテナ付き竪樋１は、樋体１０及び外筒体３の下端に下接続体５０が設けられている。またアンテナ付き竪樋１は、樋体１０及び外筒体３の上端に上接続体４０が設けられている。
【００５０】
下接続体５０は、樋体１０の下端に固定されると共に、外筒体３の下端に固定されている。本実施形態の下接続体５０は、図９に示されるように、樋体１０及び外筒体３の両者に固定されて、樋体１０及び外筒体３と共に回転する回動体５１と、これらを回転自在に支持する固定側の保持体６０との少なくとも２部材を備えている。
【００５１】
回動体５１は、保持体６０に中心軸廻りに回動自在に支持されている。回動体５１は、排水筒１２と内筒体１１と外筒体３とを固着一体化し、建物外壁９０に固定された竪樋１００に対して、排水筒１２と内筒体１１と外筒体３とを共通して回転可能とさせる。
【００５２】
回動体５１は、排水筒１２が連通接続される嵌合部５４を有している。回動体５１は、雨水を外部に排出する流出口５６を有している。回動体５１は、嵌合部５４と流出口５６とを連通する流出路５５を有している。
【００５３】
嵌合部５４は、中心から偏心した位置に設けられている。嵌合部５４は、下位置決め凹所５７とは反対側に片寄った位置に設けられている。言い換えると、嵌合部５４は、アンテナ２のスロット２１とは反対側に偏芯して設けられている。一方、流出口５６は、中心に設けられている。このため、流出路５５は、下方ほど中央側に位置するよう傾斜した流路を有している。
【００５４】
保持体６０は、回動体５１を回動自在に支持する。言い換えると保持体６０は、樋体１０を中心軸廻りに回動自在に支持する。保持体６０は、建物外壁９０に樋控え具８０を介して固定される外郭部６１と、回動体５１を回転自在に保持するレール部６３とを備えている。
【００５５】
外郭部６１は、円筒状に形成されている。外郭部６１は、その上端に、フランジ状に径外方向に突出した自重受け突部６２を有している。この自重受け突部６２は、図３に示されるように、外郭部６１を保持する樋控え具８０の上端に当接する。これにより保持体６０は、樋控え具８０によって下方にずれないように保持される。自重受け突部６２は、外郭部６１の周方向の全長に亘って形成されている。
【００５６】
下接続体５０は、下流側の竪樋９２に樋体１０を連通接続する。言い換えると下接続体５０は、下流側の竪樋９２に排水筒１２を連通させる。本実施形態の下接続体５０は、保持体６０が下流側の竪樋９２に固定的に取り付けられる。このため、樋体１０は、下流側の竪樋９２に対して回動自在となっている。
【００５７】
上接続体４０は、図１０に示されるように、集水部４１と、回転部４２と、カバー部４３と、ロック部４４とを備えている。上接続体４０は、カバー部４３が、上方に開口する流入口４５を有している。流入口４５は、樋体１０の内部に連通し、つまり流出口５６に連通している。
【００５８】
集水部４１は、上流側の竪樋９１から流出した雨水を集水して、排水筒１２内に流通させる。集水部４１は、図１１に示されるように、内筒体１１の上端に固定される第１の固定部４１０と、排水筒１２の上端に固定される第２の固定部４１１とを備えている。集水部４１は、第１の固定部４１０と内筒体１１とが連結され、第２の固定部４１１と排水筒１２とが連結されることで、内筒体１１に排水筒１２を固定する。
【００５９】
集水部４１は、内筒体１１の上端縁の上位置決め溝１３と同位置に配置される上位置決め凹所４１２が設けられている。上位置決め凹所４１２と上位置決め溝１３とアンテナ２の上嵌入溝２５２とが重なった状態で、この上位置決め凹所４１２内に、取付部材７の位置決め突起が嵌入する。
【００６０】
回転部４２は、樋体１０の中心軸廻りに回転自在に設けられている。回転部４２は、図１２に示されるように、接続具４２２を取り付けるために設けられた膨出部４２０を有している。膨出部４２０は、樋体１０の側壁よりも側方に膨出している。回転部４２は、樋体１０の中心軸を中心とした弧状の長孔により構成されたケーブル取出用孔４２１を有している。このケーブル取出用孔４２１は、上下方向に貫通しており、アンテナ２に接続された同軸ケーブル７５が挿通される。
【００６１】
回転部４２は、同軸ケーブル７５のアンテナ２側とは反対側の端部に接続された接続具４２２が取り付けられている。接続具４２２は、膨出部４２０の上方から挿通され、膨出部４２０の下面から下方に突出している。これにより接続具４２２は、外部に露出している。
【００６２】
カバー部４３は、回転部４２を覆うよう構成されている。カバー部４３は、図１０に示されるように、その天面部４３１に流入口４５が設けられている。流入口４５は、上流側の竪樋９１（筒状の樋）の外径よりも大きく形成されており、この上流側の竪樋９１に回動自在に遊嵌される。流入口４５は、その外周縁に、下方に向けて突設された周縁突起４３２を有している。この周縁突起４３２は、集水部４１の上方の開口の内側に位置するよう構成されている。これにより流入口４５は、集水部４１の上方の開口に接続される。カバー部４３は、その側壁が回転部４２の外周縁のすぐ外側に位置するよう構成されており、これにより、回転部４２を内部に収容した状態で着脱自在に取り付けられる。
【００６３】
ロック部４４は、回転部４２の回転を、樋体１０の中心軸廻りの任意の位置でロックする。ロック部４４は、平面視円環状をしており、流入口４５内に回転自在となるよう設けられる。ロック部４４は、図１０に示されるように、カバー部４３の上端に当接する鍔部４４１と、鍔部４４１の内周縁から下方に向けて突設された内側片４４２とを備えている。内側片４４２は、径外方向に突出する突起４４３を有している。
【００６４】
ロック部４４は、集水部４１に、回転部４２及びカバー部４３を固定することで、当該回転部４２及びカバー部４３の回転をロックする。ここで集水部４１は、図１０に示されるように、その側面に、上方に向けて凸となった複数の嵌合凸部４１３が設けられている。また集水部４１は、その内側面に、ロック部４４の内側片４４２の突起４４３と係合するガイド突条４１４が設けられている。回転部４２は、集水部４１との対向面に、下方に開口する複数の嵌合凹部４２３が設けられている。
【００６５】
ロック部４４は、図１３に示されるように、内側片４４２の突起４４３が、集水部４１のガイド突条４１４にガイドされることで、カバー部４３を鍔部４４１を介して下方に押圧し、この状態で保持する。すると、集水部４１の嵌合凸部４１３と、回転体の嵌合凹部４２３とが嵌合し、この状態で保持される。これによりロック部４４は、回転部４２の回転を任意の回転位置で規制する。
【００６６】
以上のような構成のアンテナ付き竪樋１は、図１４に示されるように、建物の外壁９０に沿って設置された竪樋１００の一部を構成する。
【００６７】
軒樋９４には集水器９５が設けられており、集水器９５には、第１のエルボ９６を介して呼び樋９７が接続されている。呼び樋９７には、第２のエルボ９８を介して上流側の竪樋９１が接続されている。上流側の竪樋９１は、その下方に離間して下流側の竪樋９２が設けられている。下流側の竪樋９２は、下流側の端部が排水溝に連通接続されている。アンテナ付き竪樋１は、樋体１０の上端部が、上接続体４０を介して上流側の竪樋９１の下端に接続され、樋体１０の下端部が、下接続体５０を介して下流側の竪樋９２の上端に接続される。
【００６８】
なお、上流側の竪樋９１及び下流側の竪樋９２は、端部が樋控え具９９を介して外壁９０に固定されている。また、本実施形態のアンテナ付き竪樋１は、非導電性樹脂により形成された樋控え具８０により固定されている。このように、本実施形態のアンテナ付き竪樋１は、設置されると、建物の外壁９０に沿って設置された竪樋の一部を構成する。
【００６９】
本実施形態のアンテナ付き竪樋１を設置するには、施工者は、上接続体４０の流入口４５に上流側の竪樋９１の下端を奥まで挿入し、下接続体５０を下流側の竪樋９２に接続する。この後、下接続体５０を樋控え具８０を介して外壁９０に固定する。
【００７０】
この状態のアンテナ付き竪樋１は、下方にずれないように且つ上流側の竪樋９１に対し回動自在となるよう外壁９０に支持されている。
【００７１】
次いで施工者は、アンテナ２が放送電波を最も強く受信できるよう、アンテナ付き竪樋１を上流側の竪樋９１及び下流側の竪樋９２に対して回動させる。このときアンテナ付き竪樋１は、固定された下接続体５０の保持体６０に対し、樋体１０が回動自在であるため、施工者はアンテナ２の向きを微調整することができる。微調整後、施工者は、アンテナ付き竪樋１を、上端部で別の樋控え具８０により固定する。
【００７２】
次に施工者は、アンテナ付き竪樋１の上接続体４０を回転させて、膨出部４２０を建物外壁９０に沿わせる。そして、施工者は、ロック部４４を回転させて、上接続体４０の回転をロックする。
【００７３】
本実施形態の雨樋は、排水筒１２の外周部に沿ってアンテナ２が設けられたアンテナ付き竪樋１により構成されているため、排水筒１２に流下物１２１が詰まりにくいようにできる上に、アンテナの機能を備える。このため従来は屋根の上に設置していたアンテナを、本実施形態の雨樋によれば、竪樋と一体化させることができ、建物外観を向上させることができる。
【００７４】
また本実施形態の雨樋は、排水筒１２が、スロットアンテナ２０のスロット２１とは反対側に偏心した位置に設けられているため、スロットアンテナ２０の電波受信部であるスロット２１から雨水を離すことができる。これにより、排水筒１２を流下する雨水がアンテナ２に悪影響を与えるのを極力低減させることができる。
【００７５】
また本実施形態の雨樋は、建物外壁９０に沿って配設された竪樋１００に接続するための接続部４が設けられているため、排水性能を有するアンテナとして、ユニット化することができる。これにより、施工者の技量に寄らず建物に簡単に取り付けることができ、施工後の仕上がりを一定以上のものとすることができる。
【００７６】
なお本実施形態の雨樋は、新たに竪樋を施工する際に取り付けられてもよいし、既に設置された竪樋の一部を切除して、後付け的に取り付けられてもよい。
【００７７】
次に実施形態３につき説明する。
【００７８】
実施形態３の雨樋は、実施形態１と同様、排水筒１２０が、コーナー部が曲面の略楕円形をした断面形状に形成されている。本実施形態の雨樋は、排水筒１２０の外周部１２３に沿って設けられたアンテナ２を備えている。
【００７９】
なお、実施形態２の雨樋は、アンテナ２が、排水筒１２０の外周部１２３に積層されるか、又は排水筒の外周部に埋設されていた。実施形態３の雨樋は、アンテナ２が、排水筒の外周部１２３との間に隙間を介して設けられている。
【００８０】
本実施形態のアンテナ２は、実施形態２と同じ構造のスロットアンテナ２０が、断面略Ｃ字状の樹脂製の保持材３０に埋設された構造となっている。アンテナ２は、上下方向に長く形成されており、その裏側に係止部３１が設けられている。なお、スロットアンテナの構造は実施形態２のものと同じであるため同符号を付して省略する。
【００８１】
排水筒１２０は、長手方向に所定の間隔をおいて取り付けられた樋控え具９９を介して、建物外壁９０に固定されている。樋控え具９９は、アンテナ２の係止部３１を係止する被係止部３２が設けられている。
【００８２】
本実施形態の雨樋は、排水筒１２０を固定する樋控え具９９にアンテナ２が着脱自在に取り付けられている。アンテナ２は、その長手方向が排水筒１２０の長手方向と略平行となるよう取り付けられている。言い換えると、アンテナ２は、排水筒１２０に沿って取り付けられている。
【００８３】
このような構成の雨樋であっても、排水筒１２０にアンテナ機能を持たせることができる。
【符号の説明】
【００８４】
１      アンテナ付き竪樋
１０    樋体
１１    内筒体
１１０  筒体
１２    排水筒
１３    上位置決め溝
１４    下位置決め溝
１６    外周部
２      アンテナ
２０    スロットアンテナ
２１    スロット
３      外筒体
４      接続部
４０    上接続体
４１    集水部
５０    下接続体
７      取付部材
７５    同軸ケーブル
９０    外壁
９１    上流側の竪樋
９２    下流側の竪樋
９４    軒樋
９５    集水器
９７    呼び樋
１００  竪樋
１２０  排水筒
１２１  流下物
【図１】
0005842098.tif 000002
【図２】
0005842098.tif 000003
【図３】
0005842098.tif 000004
【図４】
0005842098.tif 000005
【図５】
0005842098.tif 000006
【図６】
0005842098.tif 000007
【図７】
0005842098.tif 000008
【図８】
0005842098.tif 000009
【図９】
0005842098.tif 000010
【図１０】
0005842098.tif 000011
【図１１】
0005842098.tif 000012
【図１２】
0005842098.tif 000013
【図１３】
0005842098.tif 000014
【図１４】
0005842098.tif 000015
【図１５】
0005842098.tif 000016